(57)【要約】【課題】利用者の足元には空間が広がっていることを認識させつつ、適切な立ち位置での撮影を実現する。【解決手段】撮影部は、利用者を被写体として撮影し、背景部は、撮影部に対向して配置され、撮影部との間に撮影空間を形成する。背景部は、撮影空間において撮影を行う利用者の背面に位置する第１の背面パネルと、第１の背面パネルの撮影空間側で第１の背面パネルとの間に所定の間隙を形成し、撮影空間の床面から所定の高さより上に設けられる第２の背面パネルとを有する。本技術は、写真シール作成装置に適用することができる。【選択図】図１６
2019164283.tif 000002
【特許請求の範囲】
【請求項１】
利用者を被写体として撮影する撮影部と、
前記撮影部に対向して配置され、前記撮影部との間に撮影空間を形成する背景部と
を備え、
前記背景部は、
前記撮影空間において撮影を行う前記利用者の背面に位置する第１の背面パネルと、
前記第１の背面パネルの撮影空間側で前記第１の背面パネルとの間に所定の間隙を形成し、前記撮影空間の床面から所定の高さより上に設けられる第２の背面パネルと
を有する
写真作成ゲーム機。
【請求項２】
前記第２の背面パネルに、前記撮影部の撮影により得られる撮影画像の背景となる背景領域部が形成される
請求項１に記載の写真作成ゲーム機。
【請求項３】
前記背景領域部の色は、白色系の色である
請求項２に記載の写真作成ゲーム機。
【請求項４】
前記背景領域部は、乳白アクリル板で構成され、
前記第１の背面パネルと前記第２の背面パネルとの間に形成された前記間隙に、前記撮影部の撮影タイミングに合わせて発光するストロボ発光管が設けられる
請求項３に記載の写真作成ゲーム機。
【請求項５】
前記背景領域部は、前記第２の背面パネルにおいて、前記撮影画像の画角に対応した配置およびサイズで形成される
請求項２乃至４のいずれかに記載の写真作成ゲーム機。
【請求項６】
前記撮影画像は、前記利用者の顔および上半身が写るアップ画像である
請求項５に記載の写真作成ゲーム機。
【請求項７】
前記背景領域部は、前記撮影画像と同じ縦横比の矩形形状を有する
請求項５または６に記載の写真作成ゲーム機。
【請求項８】
前記第１の背面パネルの左右両端それぞれに取り付けられる側面パネルをさらに備え、
前記第２の背面パネルは、前記第１の背面パネルおよび前記側面パネルとの間に閉空間を形成する
請求項１乃至７のいずれかに記載の写真作成ゲーム機。
【請求項９】
前記第２の背面パネルの下端部は、前記第１の背面パネルに向かって傾斜するように形成される
請求項1乃至８のいずれかに記載の写真作成ゲーム機。
【請求項１０】
前記第２の背面パネルの一部に、前記撮影空間内に向かって音声を出力するスピーカが設けられる
請求項１乃至９のいずれかに記載の写真作成ゲーム機。
【発明の詳細な説明】
【技術分野】
【０００１】
本技術は、写真作成ゲーム機に関し、特に、利用者の足元には空間が広がっていることを認識させつつ、適切な立ち位置での撮影を実現することができるようにする写真作成ゲーム機に関する。
【背景技術】
【０００２】
従来、アミューズメント施設等に設置される写真シール機が知られている。写真シール機は、利用者を撮影し、利用者の操作に応じて撮影画像に対して編集を施す。写真シール機は、編集が施された撮影画像をシール紙に印刷する。
【０００３】
このような写真シール機には、利用者が撮影を行うための撮影空間が設けられている。撮影空間において利用者の背景となる部分には、クロマキー合成用のシートが貼られていたり、装飾用のカーテンが設けられたりする。
【０００４】
その他にも、例えば特許文献１には、撮影空間の背面に設けられた照明装置よりも撮影空間の内側に半透明カーテンを備えた写真シール自動販売機が開示されている。これにより、利用者は、照明装置で照明された半透明カーテンを背景として、背景にぼんやりした色合いやオーロラのような演出効果を得た撮影を行うことができる。
【０００５】
特許文献１の構成では、撮影空間の背面全体を覆うように半透明カーテンが設けられるが、例えばアップ撮影のような、その背面全体が撮影画角に入らない撮影が行われる場合、半透明カーテンの撮影画角に入らない部分は特に活用されず、必要のない部分となってしまう。
【０００６】
一方、特許文献２には、写真シール作成機において、撮影空間の背面天井部に設けられたカーテン装置が、カーテンを、最下ではなく途中まで繰出し降ろすことが記載されている。
【０００７】
特許文献２の構成によれば、撮影空間の背面全体が撮影画角に入らない撮影が行われる場合に、撮影画角に入る部分まで（必要となる部分まで）カーテンを繰出し降ろすようにすることができる。これにより、利用者の足元には空間が広がっていることを認識させることができる。
【先行技術文献】
【特許文献】
【０００８】
【特許文献１】特開２００２−３１８４２１号公報
【特許文献２】特開２００５−２７４６５７号公報
【発明の概要】
【発明が解決しようとする課題】
【０００９】
ところで、特に写真シール機での撮影に慣れていない利用者は、撮影空間において、適切な立ち位置よりも必要以上にカメラから遠ざかる傾向がある。
【００１０】
通常、写真シール機で用いられるカーテンは、巻上げ・繰出し可能な柔らかい材質で構成されているため、上述のような利用者は、撮影の際、そのカーテンを押しながらカメラから遠ざかってしまうおそれがある。その結果、適切な立ち位置での撮影が行われず、撮影画像の完成度が低下してしまう可能性がある。
【００１１】
本技術は、このような状況に鑑みてなされたものであり、利用者の足元には空間が広がっていることを認識させつつ、適切な立ち位置での撮影を実現することができるようにするものである。
【課題を解決するための手段】
【００１２】
本技術の写真作成ゲーム機は、利用者を被写体として撮影する撮影部と、前記撮影部に対向して配置され、前記撮影部との間に撮影空間を形成する背景部とを備え、前記背景部は、前記撮影空間において撮影を行う前記利用者の背面に位置する第１の背面パネルと、前記第１の背面パネルの撮影空間側で前記第１の背面パネルとの間に所定の間隙を形成し、前記撮影空間の床面から所定の高さより上に設けられる第２の背面パネルとを有する。
【００１３】
本技術の一側面においては、利用者を被写体として撮影する撮影部に対向して配置され、前記撮影部との間に撮影空間を形成する背景部において、前記撮影空間において撮影を行う前記利用者の背面に位置する第１の背面パネルと、前記第１の背面パネルの撮影空間側で前記第１の背面パネルとの間に所定の間隙を形成し、前記撮影空間の床面から所定の高さより上に設けられる第２の背面パネルとが設けられる。
【発明の効果】
【００１４】
本技術によれば、利用者の足元には空間が広がっていることを認識させつつ、適切な立ち位置での撮影を実現することが可能となる。
【００１５】
なお、ここに記載された効果は必ずしも限定されるものではなく、本開示中に記載されたいずれかの効果であってもよい。
【図面の簡単な説明】
【００１６】
【図１】本技術の写真シール作成装置の外観の構成例を示す斜視図である。
【図２】写真シール作成装置の外観を他の角度からみた斜視図である。
【図３】利用者の移動について説明する図である。
【図４】事前選択部の構成例を示す図である。
【図５】撮影部の構成例を示す図である。
【図６】背景部の構成例を示す図である。
【図７】編集ユニットの正面の構成例を示す図である。
【図８】編集ユニット側面パネルの構成例を示す図である。
【図９】写真シール作成装置の構成例を示すブロック図である。
【図１０】写真シール作成装置の機能構成例を示すブロック図である。
【図１１】写真シール作成ゲーム処理について説明するフローチャートである。
【図１２】事前選択処理について説明するフローチャートである。
【図１３】撮影処理について説明するフローチャートである。
【図１４】編集処理について説明するフローチャートである。
【図１５】シール紙の例を示す図である。
【図１６】背景部の構成例を示す斜視図である。
【図１７】荷物用フックについて説明する図である。
【図１８】白色シートについて説明する図である。
【図１９】外側背面パネルと内側背面パネルの間の間隙について説明する図である。
【図２０】ストロボ発光部の配置について説明する図である。
【図２１】ストロボ発光部の外観の構成例を示す図である。
【図２２】ストロボ発光部の外観の構成例を示す図である。
【図２３】ストロボ発光部の外観の構成例を示す図である。
【図２４】ストロボ発光部による照射について説明する図である。
【図２５】背景部の他の構成例を示す斜視図である。
【図２６】背景部のさらに他の構成例を示す斜視図である。
【発明を実施するための形態】
【００１７】
以下に、本技術を実施するための形態（以下、実施の形態という）について説明する。
【００１８】
＜写真シール作成装置の外観＞
図１および図２は、写真シール作成装置１の外観の構成例を示す斜視図である。
【００１９】
写真シール作成装置１は、撮影画像や編集画像を提供するゲーム機である。写真シール作成装置１は、画像をシール紙に印刷したり、画像を利用者の携帯端末上で閲覧可能にしたりすることで、利用者に画像を提供する。写真シール作成装置１は、ゲームセンターなどのアミューズメント施設や店舗に設置される。
【００２０】
写真シール作成装置１の利用者は、主に女子高校生や若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００２１】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００２２】
図１に示すように、写真シール作成装置１は、基本的に、撮影ユニット１１と編集ユニット１２が接した状態で設置されることによって構成される。撮影ユニット１１と編集ユニット１２は電気的に接続される。
【００２３】
撮影ユニット１１は、人が中に入ることができる程度の大きさを有する箱形状の筐体を有し、事前選択部２０、撮影部２１、および背景部２２から構成される。事前選択部２０は、撮影部２１の側面に設置される。事前選択部２０の前方の空間が、事前選択処理が行われる事前選択空間となる。また、撮影部２１と背景部２２は所定の距離だけ離れて対向して設置される。撮影部２１と背景部２２の間に形成される空間が、撮影処理が行われる撮影空間となる。
【００２４】
事前選択部２０は、事前選択処理として、写真シール作成装置１によって提供されるゲームを紹介するガイダンスを行ったり、撮影空間で行われる撮影処理における各種の設定を行ったりする。事前選択部２０には、利用者が代金を投入する硬貨投入口や、各種の操作に用いられるタッチパネルモニタなどが設けられる。事前選択部２０は、撮影空間の空き状況に応じて、適宜、事前選択空間にいる利用者を撮影空間へと案内する。
【００２５】
撮影部２１は、利用者を被写体として撮影するための装置である。撮影部２１は、撮影空間に入った利用者の正面に位置する。撮影空間に臨む撮影部２１の正面には、カメラや、各種の操作に用いられるタッチパネルモニタなどが設けられる。
【００２６】
撮影空間において正面を向いている利用者からみて左側の面を左側面、右側の面を右側面とすると、撮影部２１の左側面が側面パネル４１Ａにより構成され、右側面が側面パネル４１Ｂにより構成される。さらに、撮影部２１の正面が正面パネル４２により構成される。側面パネル４１Ａには、上述した事前選択部２０が設置される。なお、事前選択部２０が、側面パネル４１Ｂに設置されるようにしてもよい。
【００２７】
背景部２２は、背面パネル５１、側面パネル５２Ａ、および側面パネル５２Ｂから構成される。背面パネル５１は、正面を向いている利用者の背面側に位置する板状の部材である。側面パネル５２Ａは、背面パネル５１の左端に取り付けられ、側面パネル４１Ａと略同一の横幅の板状の部材である。側面パネル５２Ｂは、背面パネル５１の右端に取り付けられ、側面パネル４１Ｂと略同一の横幅の板状の部材である。
【００２８】
側面パネル４１Ａと側面パネル５２Ａは、ほぼ同一平面に設けられる。側面パネル４１Ａと側面パネル５２Ａの上部は、板状の部材である連結部２３Ａによって連結される。側面パネル４１Ａと側面パネル５２Ａの下部は、床面に設けた例えば金属製の部材である連結部２３Ａ’によって連結される。側面パネル４１Ｂと側面パネル５２Ｂも同様に、ほぼ同一平面に設けられる。側面パネル４１Ｂと側面パネル５２Ｂの上部は、連結部２３Ｂによって連結される。側面パネル４１Ｂと側面パネル５２Ｂの下部は、連結部２３Ｂ’によって連結される。
【００２９】
撮影空間の床には、例えば樹脂製の床シート２７が敷かれる。床シート２７は、デザイン性の高いピンク色一色に色付けされている。
【００３０】
側面パネル４１Ａ、連結部２３Ａ、および側面パネル５２Ａに囲まれることによって形成される開口が撮影空間の出入り口となる。また、側面パネル４１Ｂ、連結部２３Ｂ、および側面パネル５２Ｂに囲まれることによって形成される開口も撮影空間の出入り口となる。
【００３１】
側面パネル４１Ａ、連結部２３Ａ、および側面パネル５２Ａによって形成される出入り口には、連結部２３Ａの天面から垂下するようにして、図示せぬ出入り口カーテンが取り付けられる。同様に、側面パネル４１Ｂ、連結部２３Ｂ、および側面パネル５２Ｂによって形成される出入り口にも、連結部２３Ｂの天面から垂下するようにして、図示せぬ出入り口カーテンが取り付けられる。
【００３２】
撮影空間の上方には、撮影部２１の正面、連結部２３Ａ、および連結部２３Ｂに囲まれた天井が形成される。その天井には、例えば樹脂製の天井シート２４が設けられる。天井シート２４の一端が連結部２３Ａに固定され、他端が連結部２３Ｂに固定される。
【００３３】
天井シート２４の一部に、通気孔を設けてもよい。例えば、天井シート２４の両端（連結部２３Ａ側と連結部２３Ｂ側）に四角形状で示された部分を通気孔としてもよい。また、四角形状で示された部分は、光が入射する透明な部材で形成されていてもよい。
【００３４】
編集ユニット１２は、撮影画像に編集を施すための装置である。編集ユニット１２は、一方の側面が撮影部２１の正面パネル４２に接するようにして、撮影ユニット１１に連結している。
【００３５】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００３６】
編集ユニット１２の正面側は、面６１と、面６１の上方に形成された斜面６２から構成される。面６１は、床面に対して垂直で、撮影部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。
【００３７】
編集ユニット１２の編集ユニット１２の左側面（撮影部２１の正面パネル４２とは反対側の側面）には、矩形形状を有する板状の部材である編集ユニット側面パネル６５が設けられる。編集ユニット側面パネル６５は、例えば１０ｃｍ程度の厚さをもった筐体状に形成されている。
【００３８】
編集ユニット側面パネル６５の、図１に示される編集ユニット１２の正面側の側面（縁面）は、側面パネル４１Ａおよび側面パネル５２Ａと、ほぼ同一平面をなす。また、編集ユニット側面パネル６５の、図２に示される編集ユニット１２の背面側の側面（縁面）は、側面パネル４１Ｂおよび側面パネル５２Ｂと、ほぼ同一平面をなす。さらに、編集ユニット側面パネル６５の上面（天面）は、撮影空間の天井を構成する天井シート２４と、ほぼ同一平面をなす。
【００３９】
このような構造により、写真シール作成装置１は、全体として直方体形状の筐体を有するように構成される。
【００４０】
編集ユニット１２の上方にはカーテンフレーム２６Ａ，２６Ｂが取り付けられる。互いに平行に設けられるカーテンフレーム２６Ａとカーテンフレーム２６Ｂの一端は、連結部２３Ａと連結部２３Ｂにそれぞれ固定される。カーテンフレーム２６Ａとカーテンフレーム２６Ｂの他端は、編集ユニット側面パネル６５の両側面の上端にそれぞれ接合される。
【００４１】
カーテンフレーム２６Ａ，２６Ｂには、編集ユニット１２の正面前方の空間と背面前方の空間が外から見えないように、図示せぬカーテンが取り付けられる。そのカーテン、撮影部２１の正面パネル４２、および編集ユニット側面パネル６５により囲まれる編集ユニット１２の正面前方の空間と背面後方の空間が、利用者が編集作業を行う編集空間となる。
【００４２】
後述するが、編集ユニット側面パネル６５には、印刷済みのシール紙を利用者に提供するシール取り出し口が設けられる。編集ユニット側面パネル６５前方の空間が、印刷済みのシール紙が提供されるのを利用者が待つ印刷待ち空間となる。
【００４３】
そのため、利用者が編集空間から印刷待ち空間へ移動する際の安全性を考慮して、編集ユニット側面パネル６５の両側面と編集空間側の面とがなす角部は、面取り（Ｒ面取り）されている。
【００４４】
＜利用者の移動について＞
ここで、写真シール作成ゲームの流れと、それに伴う利用者の移動について説明する。
【００４５】
図３は、写真シール作成装置１を上から見た平面図である。
【００４６】
利用者は、事前選択部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００４７】
事前選択作業を終えた利用者は、白抜き矢印＃１で示すように、側面パネル４１Ａと側面パネル５２Ａの間の出入り口Ｇ１から、撮影部２１と背景部２２の間に形成された撮影空間Ａ１に入る。利用者は、撮影部２１に設けられたカメラやタッチパネルモニタなど利用して撮影作業を行う。
【００４８】
撮影作業を終えた利用者は、白抜き矢印＃２で示すように出入り口Ｇ１から撮影空間Ａ１を出て編集空間Ａ２−１に移動するか、または、白抜き矢印＃３で示すように出入り口Ｇ２から撮影空間Ａ１を出て編集空間Ａ２−２に移動する。
【００４９】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００５０】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００５１】
印刷待ち空間Ａ３に移動した利用者は、印刷が終わるのを待つ。印刷が終了すると、利用者は、編集ユニット側面パネル６５に設けられた排出口から排出されたシール紙を受け取り、一連の写真シール作成ゲームを終える。
【００５２】
次に、各装置の構成について説明する。
【００５３】
＜事前選択部の構成＞
図４は、事前選択部２０の構成例を示す図である。
【００５４】
事前選択部２０の上側にはタッチパネルモニタ７１が設けられる。タッチパネルモニタ７１は、LCD(Liquid Crystal Display)などのモニタと、それに積層されたタッチパネルにより構成される。タッチパネルモニタ７１は、各種のGUI(Graphical User Interface)を表示し、利用者の選択操作を受け付ける機能を備えている。タッチパネルモニタ７１には、撮影空間で行われる撮影に関するコースの選択などに用いられる画面が表示される。
【００５５】
タッチパネルモニタ７１の下方には、スピーカ７２が設けられる。スピーカ７２は、事前選択処理の案内音声、BGM（Back Ground Music）、効果音などを出力する。スピーカ７２に隣接するようにして、利用者が硬貨を入れる硬貨投入返却口７３が設けられる。
【００５６】
なお、事前選択部２０として、側面パネル４１Ａに設けられるタッチパネルモニタ７１、スピーカ７２、および硬貨投入返却口７３は、いずれも側面パネル４１Ａの表面から突出しないようにして設けられる。
【００５７】
＜撮影部の構成＞
図５は、撮影部２１の正面の構成例を示す図である。撮影部２１は、側面パネル４１Ａ、側面パネル４１Ｂ、および正面パネル４２に囲まれるようにして構成される。
【００５８】
正面パネル４２の中央よりやや上側には、カメラユニット８１が設けられる。カメラユニット８１の正面には、カメラ９１とタッチパネルモニタ９２が設けられる。
【００５９】
カメラ９１は、例えば一眼レフカメラであり、レンズが露出するようにカメラユニット８１の内部に取り付けられる。カメラ９１は、CCD(Charge Coupled Device)イメージセンサやCMOS（Complementary Metal Oxide Semiconductor）イメージセンサなどの撮像素子を有し、撮影空間Ａ１にいる利用者を撮影する。
【００６０】
カメラ９１により取り込まれた動画像（以下、ライブビュー画像ともいう）は、タッチパネルモニタ９２にリアルタイムで表示される。撮影が指示されたときなどの所定のタイミングでカメラ９１により取り込まれた静止画像は、撮影画像として保存される。
【００６１】
タッチパネルモニタ９２は、カメラ９１の下方に設けられる。タッチパネルモニタ９２は、LCDなどのモニタと、それに積層されたタッチパネルにより構成される。タッチパネルモニタ９２は、カメラ９１により取り込まれた動画像を表示するライブビューモニタとしての機能と、各種のGUIを表示し利用者の選択操作を受け付ける機能を備えている。
【００６２】
カメラユニット８１の上方には、曲面の発光面を利用者に向けた上ストロボユニット８２が設置される。上ストロボユニット８２は、利用者の正面上方から、利用者の顔および上半身に光を照射する。上ストロボユニット８２の発光面の内側には、常時点灯する電球と、撮影タイミングで発光するストロボ発光管が配置されている。
【００６３】
カメラユニット８１と上ストロボユニット８２との間には、下側に弧を描く半月状の発光面を有するカメラ上ストロボ８３が設けられる。カメラ上ストロボ８３は、正面パネル４２に埋め込まれるようにして形成されている。
【００６４】
カメラユニット８１の下方には、利用者の下半身および足元に光を照射する足元ストロボユニット８４が設けられる。足元ストロボユニット８４の発光面は、側面パネル４１Ａと側面パネル４１Ｂとの間に隙間なく形成される。足元ストロボユニット８４の発光面の内側にも、常時点灯する電球と、撮影タイミングで発光するストロボ発光管が配置されている。
【００６５】
上述したように、上ストロボユニット８２および足元ストロボユニット８４は、常時点灯する電球と、撮影タイミングで発光するストロボ発光管を内蔵している。これにより、上ストロボユニット８２および足元ストロボユニット８４は、撮影空間を明るくして利用者の操作性や安全性を確保するために、撮影空間内を常時照らすとともに、撮影画像の見栄えをより良くするために、撮影タイミングでストロボ発光し、被写体となる利用者に光を照射する。
【００６６】
なお、正面パネル４２の例えば天井付近に、スピーカが設けられ、撮影処理の案内音声、BGM、効果音などが出力される構成としてもよい。また、スピーカは、正面パネル４２ではなく、後述する背景部２２に設けられていてもよい。ここでは、図６を参照して後述するように背景部２２にスピーカが設けられている場合を例に挙げて説明を続ける。
【００６７】
＜背景部の構成＞
図６は、背景部２２の撮影空間Ａ１側の構成例を示す図である。
【００６８】
第１の背面パネルとして構成される背面パネル５１の撮影空間側には、背面パネル５１との間に所定の間隙を形成し、その下端が撮影空間Ａ１の床面から所定の高さより上に設けられる背面パネル１０１が、第２の背面パネルとして配置されている。背面パネル１０１は、背面パネル５１と側面パネル５２Ａ，５２Ｂとの間に閉空間を形成するようにして設けられる。
【００６９】
ここで、以下、背面パネル５１を外側背面パネル５１といい、背面パネル１０１を内側背面パネル１０１ということとする。
【００７０】
内側背面パネル１０１には、その一部として、撮影部２１による撮影により得られる撮影画像の背景となる（背景として写る）背景領域部１１１が形成されている。
【００７１】
背景領域部１１１は、乳白色の平面アクリル板（乳白アクリル板）で構成される。外側背面パネル５１と内側背面パネル１０１との間に形成された間隙（背景領域部１１１の裏側）には、撮影タイミングに合わせて発光するストロボ発光管を有するストロボ発光部が設けられている。
【００７２】
これにより、背景領域部１１１は、撮影タイミングで、その領域全体がぼんやりと白く明るく発光するようになる。
【００７３】
内側背面パネル１０１において、背景領域部１１１の左右両側には、スピーカ１１２−１，１１２−２が設けられている。スピーカ１１２−１，１１２−２は、撮影空間内に向かって撮影処理の案内音声、BGM、効果音などを出力する。以下においては、スピーカ１１２−１，１１２−２をそれぞれ特に区別しない場合には、単にスピーカ１１２という。
【００７４】
＜編集ユニットの構成＞
図７は、編集ユニット１２の正面側（編集空間Ａ２−１側）の構成例を示す図である。
【００７５】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００７６】
タブレット内蔵モニタ１３１は、タブレットとディスプレイを積層して構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００７７】
なお、タッチペン１３２Ａを用いた操作とタッチペン１３２Ｂを用いた操作は識別される。適宜、タブレット内蔵モニタ１３１の左側の表示に対してはタッチペン１３２Ａを用いた操作のみが可能とされ、右側の表示に対してはタッチペン１３２Ｂを用いた操作のみが可能とされる。以下、適宜、タッチペン１３２Ａとタッチペン１３２Ｂを区別する必要がない場合、まとめてタッチペン１３２という。
【００７８】
図８は、編集ユニット１２の左側面に設けられる編集ユニット側面パネル６５の構成例を示す図である。
【００７９】
編集ユニット側面パネル６５は、その正面側（印刷待ち空間側）の面を構成する板状部材としてのパネル１５１乃至１５４を有している。
【００８０】
パネル１５１は、編集ユニット側面パネル６５の略上半分を構成する。パネル１５２は、編集ユニット側面パネル６５の略下半分のうちの左右方向中央３分の１弱を構成する。パネル１５３，１５４は、編集ユニット側面パネル６５の略下半分において、パネル１５２の左右それぞれを構成する。
【００８１】
パネル１５２は、編集ユニット１２の左側面の一部を覆う開閉可能なドア部として構成される。パネル１５２を開いた状態の開口部からは、編集ユニット１２の左側面の内部に設けられるプリンタをのぞくことができる。
【００８２】
パネル１５２の中央付近には、最終的に出力されるシール紙を利用者に提供するシール取り出し口１６１が設けられる。編集ユニット１２の左側面の内部に設けられるプリンタにより、編集空間Ａ２−１の利用者が写る画像、または、編集空間Ａ２−２の利用者が写る画像が所定のレイアウトでシール紙に印刷され、シール取り出し口１６１に排出される。
【００８３】
パネル１５２において、シール取り出し口１６１の上方には、例えばシール取り出し口１６１からシール紙が排出されるタイミングで発光する発光部１６２が設けられる。シール取り出し口１６１の下方には、スピーカ１６３が設けられる。スピーカ１６３は、印刷待ち空間にいる利用者に対する案内音声、BGM、効果音などの音を出力する。
【００８４】
＜写真シール作成装置の内部構成＞
図９は、写真シール作成装置１の構成例を示すブロック図である。図９において、上述した構成と同じ構成には同じ符号を付してある。重複する説明については適宜省略する。
【００８５】
図９に示されるように、写真シール作成装置１は、PC(Personal Computer)部３０１に対して、事前選択部３０２、撮影部３０４、編集部３０５Ａ，３０５Ｂ、および印刷部３０６が外部入出力インタフェース３０３を介して接続されることによって構成される。情報処理部であるPC部３０１は、例えば編集ユニット１２の筐体内部に搭載される。
【００８６】
PC部３０１を構成するCPU(Central Processing Unit)３１１、ROM(Read Only Memory)３１２、RAM(Random Access Memory)３１３は、バス３１４により相互に接続される。
【００８７】
CPU３１１は、所定のプログラムを実行し、写真シール作成装置１の全体の動作を制御する。ROM３１２は、CPU３１１が実行するプログラムやデータを記憶する。RAM３１２は、CPU３１１が処理するデータやプログラムを一時的に記憶する。
【００８８】
バス３１４には、さらに、入出力インタフェース３１５が接続される。入出力インタフェース３１５には、記憶部３１６、通信部３１７、およびドライブ３１８が接続される。
【００８９】
記憶部３１６は、ハードディスクやフラッシュメモリなどの不揮発性の記憶媒体である。記憶部３１６は、CPU３１１から供給された各種の設定情報などを記憶する。記憶部３１６に記憶されている情報はCPU３１１により適宜読み出される。
【００９０】
通信部３１７は、インターネットなどのネットワークのインタフェースである。通信部３１７は、CPU３１１による制御に従って外部の装置と通信を行う。通信部３１７は、利用者により選択された画像を、例えば写真シール作成装置１の製造メーカが管理する画像取得サイト管理サーバに送信する。通信部３１７から送信された画像は、所定の記憶領域が割り当てられて保存され、画像取得サイト管理サーバにアクセスしてきた携帯端末上で表示されたり、その携帯端末にダウンロードされたりする。
【００９１】
ドライブ３１８には、光ディスクや半導体メモリなどよりなるリムーバブルメディア３１９が適宜装着される。ドライブ３１８によりリムーバブルメディア３１９から読み出されたプログラムやデータは、CPU３１１に供給され、記憶部３１６に記憶されたり、インストールされたりする。
【００９２】
入出力インタフェース３１５には外部入出力インタフェース３０３が接続される。PC部３０１による各部の制御が、外部入出力インタフェース３０３を介して行われる。
【００９３】
事前選択部３０２は、事前選択空間Ａ０にいる利用者を対象とした事前選択処理を実現する。事前選択部３０２は、タッチパネルモニタ７１、スピーカ７２、および硬貨処理部３２１から構成される。
【００９４】
タッチパネルモニタ７１は、PC部３０１による制御に従って各種の選択画面を表示し、選択画面に対する利用者の操作を受け付ける。利用者の操作の内容を表す入力信号はPC部３０１に供給され、各種の設定が行われる。
【００９５】
硬貨処理部３２１は、硬貨投入返却口７３への硬貨の投入を検出する。硬貨処理部３２１は、所定の金額分の硬貨が投入されたことを検出した場合、ゲームの開始を指示する起動信号をPC部３０１に出力する。
【００９６】
撮影部３０４は、撮影空間Ａ１にいる利用者を対象とした撮影処理を実現する。撮影部３０４は、前方照明装置３３１、背面照明装置３３２、カメラ９１、タッチパネルモニタ９２、およびスピーカ１１２から構成される。
【００９７】
前方照明装置３３１は、撮影空間Ａ１内の各ストロボユニットのうちの撮影部２１に設けられるストロボユニットである。背面照明装置３３２は、撮影空間Ａ１内の各ストロボユニットのうちの背景部２２に設けられるストロボユニットである。前方照明装置３３１と背面照明装置３３２は、PC部３０１から供給される照明制御信号に従って発光する。
【００９８】
カメラ９１は、PC部３０１によるシャッタ制御に従って撮影を行い、撮影によって得られた撮影画像（画像データ）をPC部３０１に出力する。
【００９９】
編集部３０５Ａは、編集空間Ａ２−１にいる利用者を対象とした編集処理を実現する。編集部３０５Ａは、タブレット内蔵モニタ１３１、タッチペン１３２Ａ，１３２Ｂ、およびスピーカ３４１から構成される。編集部３０５Ｂは、編集空間Ａ２−２にいる利用者を対象とした編集処理を実現し、編集部３０５Ａと同一の構成を有する。なお、以下、編集部３０５Ａ，３０５Ｂを特に区別しない場合には、単に、編集部３０５という。
【０１００】
タブレット内蔵モニタ１３１は、PC部３０１による制御に従って編集画面を表示し、編集画面に対する利用者の操作を受け付ける。利用者の操作の内容を表す入力信号はPC部３０１に供給され、編集対象となる撮影画像が編集される。
【０１０１】
印刷部３０６は、プリンタ３５１、シール紙ユニット３５２、スピーカ３５３、および照明装置３５４から構成される。シール紙ユニット３５２はプリンタ３５１に装着される。
【０１０２】
プリンタ３５１は、内蔵するヘッド３６１を駆動し、PC部３０１から供給された印刷データに基づいて、シール紙ユニット３５２に収納されているロール状のシール紙３６３に画像を印刷する。また、プリンタ３５１は、画像を印刷したシール紙３６３をカッター３６２によって所定のカット位置でカットして、シール取り出し口１６１に排出する。
【０１０３】
照明装置３５４は、発光部１６２を発光させるための照明器具であり、蛍光管やＬＥＤ照明により構成される。照明装置３５４は、PC部３０１から供給される照明制御信号に従って発光する。
【０１０４】
＜写真シール作成装置の機能構成例＞
図１０は、写真シール作成装置１の機能構成例を示すブロック図である。図１０に示す機能部のうちの少なくとも一部は、CPU３１１により所定のプログラムが実行されることによって実現される。
【０１０５】
写真シール作成装置１においては、事前選択処理部４０１、撮影処理部４０２、編集処理部４０３、および印刷処理部４０４が実現される。
【０１０６】
事前選択処理部４０１は、事前選択部３０２の各部を制御することで、事前選択処理を実行する。事前選択処理により、撮影に関するコースの選択が行われる。利用者による選択内容を表す情報は撮影処理部４０２に供給される。
【０１０７】
撮影処理部４０２は、撮影部３０４の各部を制御することで撮影処理を行う。撮影処理部４０２は、撮影処理を行うことによって得られた撮影画像のデータを編集処理部４０３に出力する。撮影処理部４０２から編集処理部４０３に対しては、撮影を複数回行うことによって得られた複数枚の撮影画像のデータが供給される。
【０１０８】
編集処理部４０３は、編集部３０５の各部を制御することで編集処理を行う。編集処理には、撮影画像に写る利用者の目の大きさや肌の明るさを調整するための画像処理、撮影画像に対して編集を施すための画像処理などが含まれる。
【０１０９】
編集処理部４０３は、撮影画像の編集を終えた後、編集画像を所定のレイアウトで配置することによって印刷データを生成し、印刷処理部４０４に出力する。
【０１１０】
印刷処理部４０４は、プリンタ３５１に印刷データを出力し、編集画像の印刷を行う。
【０１１１】
＜写真シール作成装置の動作＞
ここで、図１１のフローチャートを参照して、写真シール作成ゲームを提供する写真シール作成装置１の動作について説明する。
【０１１２】
ステップＳ１において、事前選択処理部４０１は、所定の金額分の硬貨が投入されたか否かを、硬貨処理部３２１から供給される起動信号に基づいて判定し、硬貨が投入されたと判定するまで待機する。
【０１１３】
ステップＳ１において、硬貨が投入されたと判定された場合、処理はステップＳ２に進む。ステップＳ２において、事前選択処理部４０１は、事前選択部３０２を制御することで、事前選択処理を行う。
【０１１４】
ステップＳ３において、撮影処理部４０２は、撮影部３０４を制御することで、撮影処理を行う。具体的には、撮影処理部４０２は、カメラ９１に取り込まれた被写体の動画像をタッチパネルモニタ９２にライブビュー表示させ、撮影空間Ａ１にいる利用者を被写体として撮影し、撮影画像を生成する。
【０１１５】
本実施の形態による撮影処理においては、複数回の撮影として、被写体の顔および上半身が大きく写る画像であるアップ画像を得るためのアップ撮影のみが行われるものとする。ただし、アップ撮影に加えて、被写体の全身が写る画像である全身画像を得るための全身撮影を行うようにしてもよい。
【０１１６】
ステップＳ４において、編集処理部４０３は、編集空間Ａ２−１と編集空間Ａ２−２のうち、撮影処理を終えた利用者の移動先とした方の編集空間に対応する編集部３０５を制御することで、編集処理を行う。具体的には、編集処理部４０３は、撮影処理により得られた撮影画像に対して利用者に編集作業を行わせることで、編集が施された編集画像を生成する。
【０１１７】
ステップＳ５において、印刷処理部４０４は、プリンタ３５１を制御することで、印刷処理を行う（開始する）。具体的には、印刷処理部４０４は、編集処理により得られた編集画像をプリンタ３５１に出力してシール紙に印刷する。なお、撮影処理により得られた撮影画像が、シール紙に印刷されるようにしてもよい。
【０１１８】
印刷が終了すると、ステップＳ６において、プリンタ３５１は、画像が印刷されたシール紙をシール取り出し口１６１に排出し、処理を終了させる。
【０１１９】
＜事前選択処理の詳細＞
次に、図１２のフローチャートを参照して、上述した写真シール作成ゲームの一連の処理におけるステップＳ２の事前選択処理の詳細について説明する。
【０１２０】
事前接客処理が開始されると、ステップＳ１１において、事前選択処理部４０１は、写りコース選択画面をタッチパネルモニタ７１に表示させる。
【０１２１】
写りコース選択画面は、撮影画像に写る被写体の写りを決定する写りコースの選択に用いられる画面である。
【０１２２】
写りコースにより決定される被写体の写りは、撮影空間Ａ１内の各ストロボユニットの照射強度と、撮影画像に対して施される画像処理によって決定される。例えば、被写体の写りは、前方照明装置３３１と背面照明装置３３２それぞれの発光量を調整するとともに、撮影画像における人物領域の彩度、明度、シャープネス、コントラストなどの少なくともいずれかを調整することで決定される。
【０１２３】
写りコース選択画面が操作されることによって、いずれかの写りコースが選択されると、ステップＳ１２において、事前選択処理部４０１は、事前選択空間Ａ０にいる利用者に対して、撮影空間Ａ１への移動を案内する。撮影空間Ａ１への移動の案内は、タッチパネルモニタ７１に案内画面を表示させることによって、または音声をスピーカ７２から出力させることによって行われる。
【０１２４】
以上のようにして、事前選択処理が行われる。
【０１２５】
＜撮影処理の詳細＞
次に、図１３のフローチャートを参照して、上述した写真シール作成ゲームの一連の処理におけるステップＳ３の撮影処理の詳細について説明する。
【０１２６】
撮影処理が開始されると、撮影処理部４０２は、撮影の仕方を説明する画面をタッチパネルモニタ９２に表示させるなどしてガイダンスを出力する。
【０１２７】
その後、ライブビュー表示画面がタッチパネルモニタ９２に表示された状態で撮影のタイミングになったとき、ステップＳ２１において、撮影処理部４０２は、１回目の撮影を行う。
【０１２８】
撮影処理部４０２は、撮影によって得られた静止画像である撮影画像を、１回目の撮影結果としてタッチパネルモニタ９２に表示させる。利用者は、１回目の撮影結果を確認しながら、次の撮影の準備を行うことができる。なお、撮影結果として表示される撮影画像は、撮影により得られた原画像をトリミングしたトリミング後の静止画像とされる。
【０１２９】
その後、２回目以降の撮影が行われる。すなわち、２回目の撮影タイミングになったとき、ステップＳ２２において、撮影処理部４０２は、２回目の撮影を行う。
【０１３０】
同様にして、ステップ２３乃至Ｓ２８において、撮影処理部４０２は、それぞれ３乃至８回目の撮影を行う。このようにして８回行われる撮影は、いずれもアップ撮影とされる。
【０１３１】
ステップＳ２１乃至Ｓ２８において、８回の撮影が終わった後、ステップＳ２９において、撮影処理部４０２は、撮影を終えた利用者に対して、編集空間Ａ２−１または編集空間Ａ２−２への移動を案内する。編集空間Ａ２−１または編集空間Ａ２−２への移動の案内は、タッチパネルモニタ９２に案内画面を表示させることによって、または音声をスピーカ１１２から出力させることによって行われる。
【０１３２】
＜編集処理の詳細＞
次に、図１４のフローチャートを参照して、上述した写真シール作成ゲームの一連の処理におけるステップＳ４の編集処理の詳細について説明する。
【０１３３】
編集処理が開始されると、ステップＳ３１において、編集処理部４０３は、プレビュー表示画面をタブレット内蔵モニタ１３１に表示させる。
【０１３４】
プレビュー表示画面は、撮影処理における８回の撮影により得られた８枚の撮影画像を改めて利用者に確認させるための画面である。
【０１３５】
プレビュー表示画面が表示されてから所定時間が経過すると、処理はステップＳ３２に進む。
【０１３６】
ステップＳ３２において、編集処理部４０３は、キープ画像選択画面をタブレット内蔵モニタ１３１に表示させる。
【０１３７】
キープ画像選択画面は、プレビュー表示画面に表示された８枚の撮影画像の中から、編集対象とする撮影画像（キープ画像）を利用者に選択させるための画面である。キープ画像として選択可能な撮影画像の枚数は、例えば４枚とされる。
【０１３８】
キープ画像選択画面において、８枚の撮影画像の中から４枚のキープ画像が選択されると、処理はステップＳ３３に進む。
【０１３９】
ステップＳ３３において、編集処理部４０３は、シールレイアウト選択画面をタブレット内蔵モニタ１３１に表示させる。
【０１４０】
シールレイアウト選択画面は、最終的に出力されるシール紙のシールレイアウトを利用者に選択させるための画面である。シールレイアウトは、シール紙に配置される４枚の編集画像の位置やサイズ、シール紙全体のデザインを決定するレイアウト（配置パターン）である。
【０１４１】
シールレイアウト選択画面において、いずれかのシールレイアウトが選択されると、処理はステップＳ３４に進む。
【０１４２】
ステップＳ３４において、編集処理部４０３は、編集画面をタブレット内蔵モニタ１３１に表示させる。
【０１４３】
編集画面は、編集対象となる撮影画像（キープ画像）の編集に用いられる画面である。編集画面には、編集対象となる撮影画像と、編集に用いられるスタンプ画像やペン画像などの各種の編集ツール（合成用画像）が表示される。
【０１４４】
利用者は、タッチペン１３２を用いて、スタンプ画像やペン画像などを編集対象となる撮影画像上の所定の位置へ重畳することで、編集対象となる撮影画像に対する合成用画像の合成が行われる。
【０１４５】
すなわち、ステップＳ３５において、編集処理部４０３は、利用者が用いるタッチペン１３２による操作を受け付け、受け付けられた操作に応じて、編集対象となる撮影画像に編集を施す。
【０１４６】
編集作業が終了すると、処理はステップＳ３６に進む。
【０１４７】
ステップＳ３６において、編集処理部４０３は、メールアドレス入力画面をタブレット内蔵モニタ１３１に表示させる。
【０１４８】
メールアドレス入力画面は、利用者の所有する携帯端末のメールアドレスの入力に用いられる画面である。メールアドレス入力画面には、メールアドレスに用いることが可能なアルファベットや記号、携帯電話機のキャリアを選択するためのボタンと、選択されたボタンに対応する文字列が表示されるテキストボックスが表示される。
【０１４９】
メールアドレス入力画面において、メールアドレスの入力が終了すると、処理はステップＳ３７に進む。
【０１５０】
ステップＳ３７において、編集処理部４０３は、携帯送信用画像選択画面をタブレット内蔵モニタ１３１に表示させる。
【０１５１】
携帯送信用画像選択画面は、利用者の所有する携帯端末に送信するための携帯送信用画像を利用者に選択させるための画面である。携帯送信用画像選択画面には、４枚のキープ画像に加え、そのうちのいずれかに所定の編集が施された携帯送信専用の画像が表示される。携帯送信用画像選択画面には、携帯送信用画像として、４枚のキープ画像が組み合わされてなる１枚のコラージュ画像が表示されてもよい。
【０１５２】
携帯送信用画像選択画面において、画像のいずれかが選択されると、処理はステップＳ３８に進む。
【０１５３】
ステップＳ３８において、編集処理部４０３は、通信部３１７を制御することで、インターネットなどのネットワークを介して、利用者により選択された携帯送信用画像を、利用者により入力されたメールアドレスとともに、画像取得サイト管理サーバに送信する。
【０１５４】
画像取得サイト管理サーバは、利用者により入力されたメールアドレス宛てに、携帯端末が画像取得サイト管理サーバにアクセスするのに必要なURL（Uniform Resource Locator）が記載されたメールを送信する。そして、そのURLに基づいて、利用者が所有する携帯端末が、ネットワークを介して画像取得サイト管理サーバにアクセスすることで、画像取得サイト管理サーバに送信された携帯送信用画像が携帯端末に提供される。
【０１５５】
そして、ステップＳ３９において、編集処理部４０３は、編集作業を終えた利用者に対して、印刷待ち空間Ａ３への移動を案内する。印刷待ち空間Ａ３への移動の案内は、編集部３０５Ａ，３０５Ｂのタブレット内蔵モニタ１３１に案内画面を表示させることによって、または音声をスピーカ３４１から出力させることによって行われる。
【０１５６】
以上のようにして、編集処理が行われる。
【０１５７】
＜シール紙の例＞
図１５は、上述した写真シール作成ゲームによって出力される、編集が施された撮影画像が印刷されたシール紙の例を示す図である。
【０１５８】
図１５に示されるように、シール紙５１０には、５枚の撮影画像５１１乃至５１５が印刷されている。
【０１５９】
シール紙５１０の中央上部には、撮影画像５１１が、他の撮影画像５１２乃至５１４より大きいサイズで配置されている。撮影画像５１１の左側には、撮影画像５１２，５１３が縦に並んで配置されている。撮影画像５１１の右側には、撮影画像５１４，５１５が縦に並んで配置されている。
【０１６０】
シール紙５１０における撮影画像５１１乃至５１５の配置やサイズ、シール紙５１０のデザインは、上述したシールレイアウト選択画面に対する選択操作によって決定される。
【０１６１】
上述したように、シール紙に印刷される撮影画像（編集画像）は、キープ画像として選択された４枚である。そのため、図１５の例では、撮影画像５１１と撮影画像５１４は、同一の撮影画像となっている。
【０１６２】
また、本実施の形態においては、写真シール作成ゲームによって得られる撮影画像（アップ画像）の形状は、正方形であるものとする。したがって、図１５の例で示される撮影画像５１１乃至５１５の形状は、いずれも正方形とされる。なお、本実施の形態における撮影画像の形状は、正方形に限らず、正方形の四隅の角を丸くした角丸正方形であってもよい。
【０１６３】
＜背景部の詳細な構成について＞
ここで、図１６を参照して、背景部２２の撮影空間Ａ１側の詳細な構成について改めて説明する。
【０１６４】
図６を参照して説明をしたように、外側背面パネル５１の撮影空間側には、外側背面パネル５１との間に所定の間隙を形成する内側背面パネル１０１が設けられている。内側背面パネル１０１は、外側背面パネル５１と側面パネル５２Ａ，５２Ｂとの間に閉空間を形成するようにして設けられる。
【０１６５】
外側背面パネル５１と内側背面パネル１０１との間の間隙（距離）は、撮影画像に写る利用者の顔が必要以上に小さく写らないような立ち位置へ利用者を誘導する大きさ（長さ）となるように形成されるものとする。この間隙は、撮影空間の広さやカメラ９１の撮影範囲などに応じて適切に設計することができる。
【０１６６】
このように、内側背面パネル１０１は、外側背面パネル５１より撮影空間側（カメラ９１側）にせり出すようにして設けられているので、利用者は、内側背面パネル１０１より後ろに下がる（カメラ９１から遠ざかる）ことができない。
【０１６７】
これにより、写真シール機での撮影に慣れていない利用者が、適切な立ち位置よりも必要以上にカメラから遠ざかることを防ぐことができる。
【０１６８】
特に、本実施の形態においては、得られる撮影画像は全てアップ画像であり、被写体の顔が適度な大きさで写ることが、撮影画像の完成度を高める大きな要素となる。そこで、内側背面パネル１０１を、顔が適度な大きさで写る適切な立ち位置へ利用者を誘導するように配置することで、利用者が必要以上にカメラから遠ざかることなく、適切な立ち位置での撮影を実現することができる。その結果、撮影画像の完成度を高めることが可能となる。
【０１６９】
また、内側背面パネル１０１（下端）が、撮影空間Ａ１の床面（床シート２７）から所定の高さより上に設けられることで、内側背面パネル１０１の下方には、外側背面パネル５１および側面パネル５２Ａ，５２Ｂに囲まれたスペースＢＳが形成されるようになる。
【０１７０】
さらに、内側背面パネル１０１の下端部１０１ＬＥは、外側背面パネル５１に向かって傾斜するように形成されている。
【０１７１】
内側背面パネル１０１は、その下端の高さと下端部１０１ＬＥの傾斜が、写真シール作成装置１の主な利用者である女子高校生が立ち位置に立った状態で、床シート２７と外側背面パネル５１との境界をのぞくことができる程度の高さ、傾きとなるように形成される。これらの高さおよび傾斜もまた、撮影空間の広さやカメラ９１の撮影範囲などに応じて適切に設計することができる。
【０１７２】
撮影時の利用者の立ち位置は、床シート２７に印刷された立ち位置を示す目印となる目印図形によって誘導される位置であってもよいし、撮影前にタッチパネルモニタ９２に表示される案内画面によって誘導される位置であってもよい。したがって、「立ち位置に立った状態」とは、これらの目印図形や誘導画面によって誘導された位置に立った状態をいう。なお、目印図形や誘導画面による誘導が行われない場合には、「立ち位置に立った状態」は、タッチパネルモニタ９２においてライブビュー画像として表示されるカメラ９１の撮影範囲内に、利用者自身が適切に収まる位置に立った状態となる。
【０１７３】
このような構成により、利用者は、撮影空間Ａ１内で、内側背面パネル１０１によって立ち位置が制限されているにもかかわらず、その足元には空間が広がっていることを認識することができる。特に、内側背面パネル１０１の下端部１０１ＬＥの傾斜により、撮影空間Ａ１で立っている利用者からの、床面への視野を広くすることができる。その結果、内側背面パネル１０１による圧迫感を軽減し、撮影空間Ａ１が狭くないことを利用者に印象付けることができる。
【０１７４】
なお、内側背面パネル１０１は、上述した構成に限らず、下端や上端の高さを任意の高さにして、設計されるようにしてもよい。例えば、内側背面パネル１０１の下端の高さを、側面パネル５２Ａ，５２Ｂの下端と同じ高さ（例えば床面から数ｃｍ乃至十数ｃｍ程度）としてもよい。また、内側背面パネル１０１の上端の高さを、側面パネル５２Ａ，５２Ｂの上端と同じ高さ（連結部２３Ａ，２３Ｂの下端の高さ）としてもよい。
【０１７５】
また、上述したように、撮影空間Ａ１の床面となる床シート２７が、ピンク色一色に色付けされていることで、床面の広さが強調され、撮影空間Ａ１が狭くないことを利用者により強く印象付けることができる。
【０１７６】
なお、床シート２７の色は、ピンク色に限らず、黒色や白色、灰色などの色であってもよい。特に、床シート２７の色を灰色とした場合、床シート２７に付いた汚れを目立たないようにすることができる。
【０１７７】
また、スペースＢＳが形成されることによって、利用者と外側背面パネル５１との距離が確保されるので、利用者が、外側背面パネル５１の下部を誤って蹴るなどして、外側背面パネル５１が汚れたり破損したりすることを防ぐことができる。
【０１７８】
さらに、図６を参照した説明では省略したが、内側背面パネル１０１の下部には、荷物用フックが設けられる。
【０１７９】
図１７は、図１６に示される破線枠Ｚ１で囲まれる部分を拡大した図である。
【０１８０】
図１７に示されるように、内側背面パネル１０１に設けられるスピーカ１１２−１の下方には、荷物用フックＬＨが設けられている。
【０１８１】
荷物用フックＬＨは、内側背面パネル１０１内に収納されたアーム部分の下端部を軸として、その上端部が手前に引き出されることで、利用者の荷物や衣類を掛けることが可能な状態になる。
【０１８２】
なお、図示はしないが、スピーカ１１２−２の下方にも、荷物用フックＬＨが設けられている。
【０１８３】
撮影空間Ａ１に入った利用者は、荷物やコートなどの衣類を荷物用フックＬＨに掛けることで、身軽な状態で撮影作業を行うことができる。
【０１８４】
また、荷物用フックＬＨは、内側背面パネル１０１の下部に設けられているため、荷物用フックＬＨに荷物を吊り掛けた場合であっても、その荷物はスペースＢＳに収まるようになるので、撮影作業を行う利用者の邪魔になることはない。さらに、後述するように、荷物用フックＬＨは、撮影画角の外側に設けられているので、荷物用フックＬＨに吊り掛けた荷物が撮影画像に写り込むこともない。
【０１８５】
なお、利用者は、スペースＢＳの床面（床シート２７）上に直接荷物を置くこともできるが、この場合であっても、撮影作業を行う利用者の邪魔になることはない。また、この場合、スペースＢＳの床面部分のみを高くするように段差を設けてもよい。これにより、利用者が誤ってスペースＢＳの床面に置いた荷物を踏んでしまったり、汚してしまう可能性を低減させることができる。さらに、内側背面パネル１０１の下端などからスペースＢＳを覆うようなカーテンを垂下させるようにしてもよい。これにより、利用者が誤ってスペースＢＳの床面に置いた荷物を踏んでしまったり、汚してしまう可能性を、より低減させることができる。
【０１８６】
また、図６を参照して説明したように、内側背面パネル１０１には、その一部として、撮影部２１による撮影により得られる撮影画像の背景となる（背景として写る）背景領域部１１１が形成されている。
【０１８７】
背景領域部１１１は、乳白アクリル板で構成され、その背景領域部１１１の裏側には、撮影タイミングに合わせて発光するストロボ発光部が設けられる。
【０１８８】
これにより、背景領域部１１１は、撮影タイミングで、その領域全体がぼんやりと白く明るく発光するようになる。
【０１８９】
なお、背景領域部１１１を構成する乳白アクリル板は、その表面に光沢を有しているため、利用者の前方で発光する上ストロボユニット８２などからの光を反射してしまうおそれがある。
【０１９０】
そこで、図１８に示されるように、背景領域部１１１上に布製の白色シートＣＬを貼り付けるようにする。これにより、背景領域部１１１の表面で利用者の前方からの光を反射することを防ぐことができる。
【０１９１】
また、背景領域部１１１として、表面にマット処理（つや消し加工）を施した乳白アクリル板を用いることで、背景領域部１１１の表面で利用者の前方からの光を反射することを防ぐようにしてもよい。
【０１９２】
なお、白色シートＣＬの色は、白色に限らず、ピンク色がかった白色や、青色がかった白色など、白色系の色であればよい。
【０１９３】
また、背景領域部１１１は、内側背面パネル１０１において、撮影画像の画角に対応した位置および大きさで形成される。さらには、背景領域部１１１は、撮影画像と同じ縦横比の矩形形状を有している。図１６に示される矩形の破線枠Ａｖは、撮影画像の画角（撮影範囲）を示しており、内側背面パネル１０１は、破線枠Ａｖに対応した位置および大きさ、形状となるように形成されている。図１６の例では、内側背面パネル１０１は、破線枠Ａｖ（撮影画像の画角）よりひと回り大きい大きさで形成されている。
【０１９４】
本実施の形態においては、撮影画像の形状は正方形または角丸正方形であるので、背景領域部１１１の形状は、撮影画像の画角に対応した略正方形とされる。したがって、撮影画像の形状が、例えば縦横比１．２：１の縦長長方形（角丸長方形も含む）であれば、背景領域部１１１の形状も縦横比１．２：１の縦長長方形とされる。もちろん、撮影画像の形状を他の縦横比の長方形として、背景領域部１１１の形状を、撮影画像の形状に合わせた縦横比の長方形とすることができる。
【０１９５】
これにより、撮影画像においては、その背景全体に背景領域部１１１がちょうど収まって写るようになる。
【０１９６】
このように、背景領域部１１１が撮影画像の画角に対応した位置および大きさで形成されることで、利用者の背面全体が発光する場合と比較して、撮影画角の外からの光が顔に対して余計に照射されることを防ぐことができる。
【０１９７】
なお、背景領域部１１１は、撮影画像の画角に対応した位置および大きさで形成されていればよい。具体的には、背景領域部１１１は、利用者の背面全体に形成されるのではなく、例えば、アップ撮影やその他の撮影の撮影画角よりひと回り大きいサイズで形成されていればよい。したがって、背景領域部１１１は、内側背面パネル１０１の一部に限らず、内側背面パネル１０１の全体として形成されるようにしてもよい。
【０１９８】
図１９は、外側背面パネル５１と内側背面パネル１０１の間の間隙について説明する、側面パネル５２Ａ側から見た背景部２２（撮影空間Ａ１）の側面断面図である。
【０１９９】
図１９に示されるように、内側背面パネル１０１は、下端部１０１ＬＥから外側背面パネル５１側に延在する底部を含めて、外側背面パネル５１との間に閉空間を形成している。
【０２００】
この閉空間には、上述したスピーカ１１２−１（図示せず）および１１２―２の本体に加え、撮影タイミングに合わせて発光する複数のストロボ発光部５５０が設けられている。ただし、常時点灯する電球は設けられない。
【０２０１】
なお、この閉空間の例えば下部などに、編集ユニット１２の筐体内部に搭載されているPC部３０１が収納されるようにしてもよい。
【０２０２】
図２０は、背景領域部１１１を取り外した背景部２２を、撮影空間Ａ１側から見た状態を示している。
【０２０３】
図２０に示されるように、背景領域部１１１の裏側の空間上部には、ストロボ発光部５５０として、３つのストロボ発光部５５１−１，５５１−２，５５２が設けられる。
【０２０４】
具体的には、背景領域部１１１の裏側の空間の上部左には、後方右側から利用者に光を照射するストロボ発光部５５１−１が設けられ、背景領域部１１１の裏側の空間の上部右には、後方左側から利用者に光を照射するストロボ発光部５５１−２が設けられる。さらに、背景領域部１１１の裏側の空間の上部中央には、後方上側から利用者に光を照射するストロボ発光部５５２が設けられる。
【０２０５】
ここで、ストロボ発光部５５１−１，５５１−２，５５２の構成について説明するが、ストロボ発光部５５１−１，５５１−２は、それぞれ左右対称に構成されているだけであるので、ストロボ発光部５５１−２の説明は省略する。
【０２０６】
図２１は、ストロボ発光部５５１−１の構成を示している。
【０２０７】
ストロボ発光部５５１−１は、撮影のタイミングで発光するストロボ発光管５６１、Ｖ字反射板５６２、および回路ユニット５６３から構成される。
【０２０８】
ストロボ発光管５６１は、円筒形の形状を有する直管型のフラッシュランプであり、その円周面から360°方向に光を照射する。
【０２０９】
Ｖ字反射板５６２は、側面視で略Ｖ字をなす２平面を有するように構成される。Ｖ字反射板５６２は、ストロボ発光管５６１からみて背景領域部１１１の反対側に設けられる。Ｖ字反射板５６２のＶ字の内角側の反射面により、ストロボ発光管５６１の発光による光が、背景領域部１１１側に反射される。
【０２１０】
このような構成により、背景領域部１１１側に硬い光（光源から直接的に被写体に当たる光）が照射される。
【０２１１】
回路ユニット５６３は、ストロボ発光管５６１を発光させるための回路を内蔵している。
【０２１２】
図２２および図２３は、ストロボ発光部５５２の構成を示している。
【０２１３】
ストロボ発光部５５２は、撮影のタイミングで発光するストロボ発光管５７１、回路ユニット５７２、および平面板５７３から構成される。
【０２１４】
なお、図２２は、平面板５７３を取り付けた状態のストロボ発光部５５２の構成を示しており、図２３は、平面板５７３を取り外した状態のストロボ発光部５５２の構成を示している。
【０２１５】
ストロボ発光管５７１は、円筒形の形状を有する直管型のフラッシュランプであり、その円周面から360°方向に光を照射する。
【０２１６】
回路ユニット５７２は、ストロボ発光管５７１を発光させるための回路を内蔵している。
【０２１７】
平面板５７３は、ストロボ発光管５７１からみて背景領域部１１１側に設けられる。平面板５７３は、透明なアクリル板などで構成され、ストロボ発光管５７１の発光による光を、背景領域部１１１側に透過させる。
【０２１８】
ストロボ発光部５５２は、ストロボ発光部５５１−１，５５１−２のように、Ｖ字反射板を備えていない。このような構成により、背景領域部１１１側に硬い光が照射される。
【０２１９】
なお、平面板５７３を、ストロボ発光管５７１の発光により背景領域部１１１側に照射される光を、背景領域部１１１の反対側に反射する反射板として構成するようにしてもよい。この場合、ストロボ発光管５７１の発光による光は、直接的に背景領域部１１１側に進むことはなく、背景領域部１１１側により柔らかい光（反射または拡散することで光源から間接的に被写体に当たる光）が照射されるようになる。
【０２２０】
このようにして、撮影画像の背景となる背景領域部１１１の裏側の空間上部に、ストロボ発光部５５１−１，５５１−２，５５２が設けられることで、利用者の後方から、背景領域部１１１を介して、利用者の頭部（髪の毛）に光が照射されるようになる。
【０２２１】
図２４は、写真シール機の利用者として最も多い２人組の利用者が撮影を行う際の、ストロボ発光部による照射について説明する図である。
【０２２２】
図２４に示されるように、撮影空間で撮影を行う２人の利用者Ｕ１，Ｕ２のうち、カメラ９１に向かって右側に立つ利用者Ｕ１の頭部には、ストロボ発光部５５１−１，５５２からの光が照射される。
【０２２３】
同様に、撮影空間で撮影を行う２人の利用者Ｕ１，Ｕ２のうち、カメラ９１に向かって左側に立つ利用者Ｕ２の頭部には、ストロボ発光部５５１−２，５５２からの光が照射される。
【０２２４】
これらの光により、利用者Ｕ１の頭部の左上部分Ｈ１１と右上部分Ｈ１２の髪の輪郭と、利用者Ｕ２の頭部の右上部分Ｈ２１と左上部分Ｈ２２の髪の輪郭に艶を与えることができる。すなわち、背景領域部１１１の裏側の空間上部に、３つのストロボ発光部５５１−１，５５１−２，５５２を設けることで、２人の利用者それぞれの髪の輪郭に艶を与えることができる。さらに、ストロボ発光部５５１−１，５５１−２，５５２からは、背景領域部１１１を介した硬い光が、利用者それぞれの頭部に向かって照射されるので、利用者それぞれの髪の輪郭のみならず、利用者それぞれの髪の左上部分と右上部分にも艶を与えることができる。
【０２２５】
なお、ストロボ発光部５５１−１，５５１−２，５５２を構成するストロボ発光管は、いずれも直管型のフラッシュランプであるものとしたが、リング管型、Ｕ字管型など、その他の形状のフラッシュランプであってもよい。
【０２２６】
＜背景部の他の構成例＞
以上においては、内側背面パネル１０１に形成される背景領域部１１１は、ストロボ発光部により発光する乳白アクリル板で構成されるものとした。
【０２２７】
これに限らず、例えば、図２５に示されるように、内側背面パネル１０１上に所定の色の布製シート（カーテン）が単に貼り付けられることで、背景領域部５８１が構成されるようにしてもよい。
【０２２８】
この場合、背景領域部５８１の裏側の空間には、ストロボ発光部は設けられないものとするが、スピーカ（本体）は設けられてもよい。
【０２２９】
背景領域部５８１を構成するカーテンの色は、背景領域部１１１と同様、白色系の色であってもよいし、クロマキー合成が可能な緑色や青色であってもよい。また、背景領域部５８１を構成するカーテンとして、所定の模様や柄を有する装飾用カーテンが用いられるようにしてもよい。
【０２３０】
なお、内側背面パネル１０１において、背景領域部５８１の左側の領域５８２−１には、後方右側から利用者に光を照射するストロボユニットが設けられるようにしてもよい。同様に、内側背面パネル１０１において、背景領域部５８１の右側の領域５８２−２には、後方左側から利用者に光を照射するストロボユニットが設けられるようにしてもよい。
【０２３１】
これらのストロボユニットは、内側背面パネル１０１の領域５８２−１，５８２−２それぞれの上に直接取り付けられてもよいし、内側背面パネル１０１の領域５８２−１，５８２−２の裏側の空間に内蔵されてもよい。後者の場合、内側背面パネル１０１の領域５８２−１，５８２−２の部分は、例えば乳白アクリル板で構成されるようにする。
【０２３２】
なお、内側背面パネル１０１の領域５８２−１，５８２−２は、撮影画角の外側となるので、その上に取り付けられたストロボユニットや、乳白アクリル板で構成される領域５８２−１，５８２−２自体が撮影画像に写り込むこともない。
【０２３３】
このような構成においても、写真シール機での撮影に慣れていない利用者が、適切な立ち位置よりも必要以上にカメラから遠ざかることを防ぎつつ、後方から利用者を照射する光学環境を提供することができる。
【０２３４】
また、図２６に示されるように、内側背面パネル１０１に形成される背景領域部５９１が、内側背面パネル１０１から突出するようにして構成されてもよい。さらに、図示はしないが、内側背面パネル１０１を設けず、背景領域部５９１が、外側背面パネル５１から突出するようにして、外側背面パネル５１上に形成されるようにしてもよい。
【０２３５】
このような構成においても、写真シール機での撮影に慣れていない利用者を、よりカメラに近い立ち位置に誘導することができる。
【０２３６】
上述した実施の形態では、写真シール作成装置１は、得られた撮影画像や編集画像をシール紙に印刷するとともに、画像取得サイト管理サーバに送信することで利用者の携帯端末に提供する構成を採るものとした。これに限らず、撮影画像や編集画像をシール紙に印刷せずに、画像取得サイト管理サーバに送信することで利用者の携帯端末に提供するのみの構成を採ることも可能である。また逆に、撮影画像や編集画像を画像取得サイト管理サーバに送信せずに、シール紙に印刷するのみの構成を採ることも可能である。
【０２３７】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２３８】
この記録媒体は、例えば、図９に示されるように、装置本体とは別に、写真シール作成装置１の管理者にプログラムを配信するために配布される、そのプログラムが記録されている磁気ディスク（フレキシブルディスクを含む）、光ディスク（CD-ROMおよびDVDを含む）、光磁気ディスク、もしくは半導体メモリなどよりなるリムーバブルメディア３１９により構成される。また、これらだけでなく、記録媒体は、装置本体にあらかじめ組み込まれた状態で管理者に配信されるプログラムが記録されているROM３１２や、記憶部３１６に含まれるハードディスクなどで構成される。
【０２３９】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２４０】
以上において、印刷媒体は、シール紙や写真紙に限られるものではない。例えば、所定のサイズの紙やフィルム、プリペイドカードやIC（Integrated Circuit）カードなどのカード、あるいは、Ｔシャツなどの布地などに、画像を印刷するようにしてもよい。この場合、１または複数の撮影画像が配置されたシールレイアウト画像が、これらの印刷媒体に印刷されるようにしてもよい。
【０２４１】
また、本技術の実施の形態は、上述した実施の形態に限定されるものではなく、本技術の要旨を逸脱しない範囲において種々の変更が可能である。
【０２４２】
なお、本明細書に記載された効果はあくまで例示であって限定されるものではなく、他の効果があってもよい。
【符号の説明】
【０２４３】
１  写真シール作成装置
１１  撮影ユニット
１２  編集ユニット
２０  事前選択部
２１  撮影部
２２  背景部
５１  外側背面パネル
５２Ａ，５２Ｂ  側面パネル
１０１  内側背面パネル
１１１  背景領域部
４０１  事前選択処理部
４０２  撮影処理部
４０３  編集処理部
４０４  印刷処理部
【図１】
2019164283.tif 000003
【図２】
2019164283.tif 000004
【図３】
2019164283.tif 000005
【図４】
2019164283.tif 000006
【図５】
2019164283.tif 000007
【図６】
2019164283.tif 000008
【図７】
2019164283.tif 000009
【図８】
2019164283.tif 000010
【図９】
2019164283.tif 000011
【図１０】
2019164283.tif 000012
【図１１】
2019164283.tif 000013
【図１２】
2019164283.tif 000014
【図１３】
2019164283.tif 000015
【図１４】
2019164283.tif 000016
【図１５】
2019164283.tif 000017
【図１６】
2019164283.tif 000018
【図１７】
2019164283.tif 000019
【図１８】
2019164283.tif 000020
【図１９】
2019164283.tif 000021
【図２０】
2019164283.tif 000022
【図２１】
2019164283.tif 000023
【図２２】
2019164283.tif 000024
【図２３】
2019164283.tif 000025
【図２４】
2019164283.tif 000026
【図２５】
2019164283.tif 000027
【図２６】
2019164283.tif 000028